(57)【要約】【課題】ダイヤルロック機能など各種機能を遠隔から簡便且つ確実に動作制御できる携帯端末装置を提供する。【解決手段】文字情報を含む発呼信号を送受信可能であって、発呼信号に含まれる文字情報を表示画面に表示する携帯端末装置の機能を用いて、発呼信号に含まれる文字情報を抽出し、抽出された文字情報に対してあらかじめ関連づけられる機能を起動する。【選択図】図４
2007235514.tif 000002
【特許請求の範囲】
【請求項１】
文字情報を含む発呼信号が着信すると、当該文字情報を表示画面に表示する携帯端末装置において、
前記文字情報を含む発呼信号を受信する受信部と、
前記受信部により受信された前記発呼信号に含まれる文字情報を抽出し、当該抽出された文字情報に対応する機能を実行する制御部とを備えることを特徴とする携帯端末装置。
【請求項２】
請求項１において、
文字情報に対応する機能を登録したテーブルを記憶する記憶部を備え、
前記制御部は、前記抽出された文字情報が前記テーブルに登録されている場合、当該テーブルに登録されている機能を実行し、前記抽出された文字情報が前記テーブルに登録されていない場合、前記発呼信号に基づく呼出動作を実行することを特徴とする携帯端末装置。
【請求項３】
請求項１又は２において、
前記制御部は、前記文字情報に対応する機能を実行した後、前記発呼信号に対する呼切断動作を行い、
前記制御部による呼切断動作に基づいて、前記機能を実行した結果情報を含む切断信号を送信する送信部を備え、
前記結果情報は、前記切断信号の着信先端末の表示画面に表示されることを特徴とする携帯端末装置。
【請求項４】
文字情報を含む発呼信号が着信すると、当該文字情報を表示画面に表示する携帯端末装置の制御方法において、
前記携帯端末装置が、前記文字情報を含む発呼信号を受信すると、受信された前記発呼信号に含まれる文字情報を抽出するステップと、
当該抽出された文字情報に対応する機能を実行するステップとを備えることを特徴とする携帯端末装置の制御方法。
【請求項５】
文字情報を含む発呼信号が着信すると、当該文字情報を表示画面に表示する携帯端末装置により実行されるコンピュータプログラムにおいて、
前記携帯端末装置が前記文字情報を含む発呼信号を受信すると、受信された前記発呼信号に含まれる文字情報を抽出するステップと、
当該抽出された文字情報に対応する機能を実行するステップとを前記携帯端末装置に実行させるためのコンピュータプログラム。
【発明の詳細な説明】
【技術分野】
【０００１】
本発明は、文字情報が付加された発呼信号を着信すると、当該文字情報を表示画面に表示する携帯端末装置に関し、特に、発呼信号に付加された文字情報を受信すると、その文字情報に基づいて所定の機能を実行する携帯端末装置に関する。
【背景技術】
【０００２】
近年の携帯端末装置の発展はめざましく、子供から高齢者の方々まで幅広く携帯端末装置が利用されるようになっており、日常生活においては欠くことのできないものとなっている。携帯端末装置の目覚しい普及に伴い、携帯端末装置への大切または重要な情報やデータが多く保存されているケースが多くなっている。
【０００３】
携帯端末装置の普及に伴い、携帯端末装置の紛失や盗難も多くなってきていることから、第三者への不正使用を防ぐ目的として、遠隔操作によるダイヤルロックを掛ける機能なども重要な機能となっている。
【０００４】
また、遠隔操作により携帯端末装置に搭載されているあらゆる機能の実施が可能となれば、セキュリティ目的以外にもユーザーとしての利用範囲も広がり便利である。
【０００５】
図１は、従来の技術における遠隔操作によりダイヤルロックを掛ける機能の図を示す。図１にあるように、本ロック機能は、予め登録されている番号から一定時間内に指定回数の連続着信を行わせることによりダイヤルロックを掛けるという機能である。本技術においては、ダイヤルロックを掛ける手順の途中で着信が入るか、電源を切られてしまう場合にはダイヤルロックを掛けることができない。
【０００６】
また、DTMF(Dial Tone Multi Frequency)信号（プッシュ信号、トーン信号智代ばれる）を利用しての遠隔操作の方法も一般的な機能としてあるが、DTMF信号を着信側携帯端末装置に送出するためには、"通話中"の状態(通話パスが繋がっている状態)に遷移させてからでないと操作ができない。
【０００７】
また、下記特許文献１は、ショートメッセージや電子メールのような電子メッセージによる通信が可能な携帯通信端末装置において、受信した電子メッセージの所定の箇所に記載されたテキストデータを動作制御命令として検出し、その動作制御命令に応じて所定の機能の動作を実行する携帯通信端末について記載している。
【０００８】
さらに、外部通信装置から携帯型情報端末装置に着信した場合、あらかじめ設定された対応表の内容に従い、発信元の電話番号に対応した通信プログラムを自動的に起動する携帯型情報端末装置について記載している。
【特許文献１】特開２００２−７７４３８号公報
【特許文献２】特開平１１−２１２８９４号公報
【発明の開示】
【発明が解決しようとする課題】
【０００９】
しかしながら、従来の遠隔操作によるダイヤルロックなどの機能については、以下の課題がある。遠隔操作によるダイヤルロックを掛ける技術の場合、予め登録されている番号から一定時間内に指定回数の連続着信が必要であり、ダイヤルロックを掛けるまでの手順が多く即座に対応することが困難である。
【００１０】
また、図２に示すように、ダイヤルロックを掛ける手順の途中で着信が入るか、電源を切られてしまう場合には目的を達成出来ないことから十分なセキュリティ対策とは言えない。図２は、連続着信が指定回数に達する前に第三者から着信があったために、ダイヤルロックが掛からない場合を示す図である。
【００１１】
DTMF信号を利用した遠隔操作の技術については、着信側携帯端末装置を"通話中"の状態に遷移させてからでないと操作が出来ない方法となっており、こちらについても着信側携帯端末装置において応答動作を必要とすることから着信を拒否した場合などを考えると十分なセキュリティ対策とは言えない。
【００１２】
携帯端末装置を紛失した時などの場合は、着信側移動機での応答動作は期待できないことから遠隔操作の目的も達成できないことになる。
【００１３】
また、電子メールなどに含まれるテキストデータにより、着信側携帯端末装置を遠隔制御する手法では、電子メールを一方的に送るだけなので、実際に着信側携帯端末装置で応答動作が行われたかどうか確認できない。
【００１４】
そこで、本発明の目的は、ダイヤルロック機能など各種機能を遠隔から簡便且つ確実に動作制御できる携帯端末装置を提供することにある。
【課題を解決するための手段】
【００１５】
上記目的を達成するための本発明の携帯端末装置の第一の構成は、文字情報を含む発呼信号が着信すると、当該文字情報を表示画面に表示する携帯端末装置において、前記文字情報を含む発呼信号を受信する受信部と、前記受信部により受信された前記発呼信号に含まれる文字情報を抽出し、当該抽出された文字情報に対応する機能を実行する制御部とを備えることを特徴とする。
【００１６】
本発明の携帯端末装置の第二の構成は、上記第一の構成において、文字情報に対応する機能を登録したテーブルを記憶する記憶部を備え、前記制御部は、前記抽出された文字情報が前記テーブルに登録されている場合、当該テーブルに登録されている機能を実行し、前記抽出された文字情報が前記テーブルに登録されていない場合、前記発呼信号に基づく呼出動作を実行することを特徴とする。
【００１７】
本発明の携帯端末装置の第三の構成は、上記第一又は第二の構成において、前記制御部は、前記文字情報に対応する機能を実行した後、前記発呼信号に対する呼切断動作を行うことを特徴とする。
【００１８】
好ましくは、上記第三の構成において、携帯端末装置は、前記制御部による呼切断動作に基づいて、前記機能を実行した結果情報を含む切断信号を送信する送信部を備え、前記結果情報は、前記切断信号の着信先端末の表示画面に表示されてもよい。
【００１９】
また、上記各構成の携帯端末装置を実現するための携帯端末装置の制御方法及び携帯端末装置により実行されるコンピュータプログラムが提供される。
【発明の効果】
【００２０】
本発明によれば、文字情報を含む発呼信号が着信すると、当該文字情報を表示画面に表示する携帯端末装置の機能を用いて、携帯端末装置の各種機能を遠隔操作することができる。
【００２１】
１回の着信で、携帯端末装置の機能を起動することができるので、遠隔から簡便且つ確実に携帯端末装置を動作制御できる。
【００２２】
発呼信号に対する切断動作時に送信される切断信号を用いて、機能起動結果を発信側携帯端末装置に通知することができる。
【発明を実施するための最良の形態】
【００２３】
以下、図面を参照して本発明の実施の形態について説明する。しかしながら、かかる実施の形態例が、本発明の技術的範囲を限定するものではない。
【００２４】
本発明では、文字情報を含む発呼信号を送受信可能であって、発呼信号に含まれる文字情報を表示画面に表示する携帯端末装置の機能を用いて、携帯端末装置の各種機能を遠隔操作で制御する。
【００２５】
図３は、通常利用される形態における発呼信号に含まれる文字情報を表示画面に表示する機能について説明する図である。ユーザＡは、発信側携帯端末装置の画面に、発信先電話番号（又は相手ユーザ名など）を表示させ、所定の文字入力欄に送信文字を入力し（図３（ａ））、発信する（図３（ｂ））。そうすると、発信側（ユーザＡ）の携帯端末装置からは、入力された文字情報（ここでは、「早く出てよ！！」）を含む発呼信号（SETUP REQUEST）が発信され、着信側（ユーザＢ）の携帯端末装置に着信される（図３（ｃ））。着信側携帯端末装置は、発呼信号から文字情報を抽出し、それを画面に表示する（図３（ｄ））。
【００２６】
着信側携帯端末装置は、発呼信号に含まれる文字情報を表示すると、文字情報が表示されたことを示す送達結果信号（ALERT）を発信側携帯端末装置に送信し（図３（ｃ））、その旨が、発信側携帯端末装置の呼出中画面に表示される（図３（ｅ））。
【００２７】
図４は、発呼信号に含まれる文字情報を表示画面に表示する機能を用いた本発明の実施の形態における携帯端末装置の機能について説明する図である。図３と同様に、ユーザＡは、発信側携帯端末装置の画面に、発信先電話番号（又は相手ユーザ名など）を表示させ、所定の文字入力欄に送信文字を入力し（図４（ａ））、発信する（図４（ｂ））。そうすると、発信側（ユーザＡ）の携帯端末装置からは、入力された文字情報（ここでは、「亀になれ」）を含む発呼信号（SETUP REQUEST）が発信され、着信側（ユーザＢ）の携帯端末装置に着信される（図４（ｃ））。
【００２８】
着信側携帯端末装置の内蔵メモリには、あらかじめ設定された文字列（キーワード）に対応して起動されるプログラム（機能）が登録されたテーブル（図４（ｄ））が記憶されている。着信側携帯端末装置は、発呼信号から文字情報を抽出すると、抽出された文字情報と同じ文字列（キーワード）が設定されているかどうか図４（ｄ）のテーブルを検索し、同じ文字列が設定されている場合は、それに関連づけられて登録されている機能（図４（ｄ）では、「ダイヤルロック設定」機能）を起動する。これにより、着信側携帯端末装置はダイヤルロックが掛かる。
【００２９】
ダイヤルロックが掛かると（所定の機能が起動すると）、着信側携帯端末装置は、発呼信号を切断し、機能起動結果を含む切断信号（DISCONNECT）を発信側携帯端末装置に送信する。発信側携帯端末装置は、切断信号を受信すると、発呼を中止するとともに、切断信号に含まれる機能起動結果「機能設定しました」を画面に表示する（図４（ｅ））。
【００３０】
このように、本発明の実施の形態における携帯端末装置は、発呼信号に含まれる文字情報を表示画面に表示する機能を利用して、発呼信号に含まれる文字情報に対応する機能（例えば、ダイヤルロック機能）を起動する。従って、発信側携帯端末装置における発信操作において、あらかじめ設定された文字列を入力するだけで、簡単且つ短い手順で着信側携帯端末装置を遠隔操作できることになる。また、着信側携帯端末装置で正常に機能が起動したかどうか、発信側携帯端末装置で確認することができる。
【００３１】
図５は、本発明の実施の形態における携帯端末装置のブロック構成図を示す図である。制御部１０は、携帯端末装置１の有する通話機能、電子メール機能、インターネット接続機能、ダイヤルロックなど各種設定機能などすべての機能を制御し、CPU及びCPUにより実行されるプログラム（アプリケーション）を格納するメモリなどから構成される。
【００３２】
本発明の実施の形態における携帯端末装置の機能は、制御部１０のメモリにプログラムとして記憶され、CPUにより実行される。
【００３３】
キー１１は、数字や文字を入力するための入力手段であり、スピーカ１２は音声出力手段、マイク１３は音声入力手段、ディスプレイ１４は表示手段である。
【００３４】
無線信号処理部１５は、アンテナ１６を介して基地局との間で送受信される信号を処理し、通話（発呼信号、切断信号、通話中の音声信号など）、電子メールやインターネット接続にかかる信号を取り扱う。
【００３５】
図６は、本発明の実施の形態における携帯端末装置の処理フローチャートであって、文字情報を含む発呼信号が着信する側の携帯端末装置の処理を示す。発呼信号が着信すると、発呼信号に文字情報が含まれているかどうか判定し（Ｓ１０）、含まれていない場合は、呼出音の出力などの呼出動作を行う（Ｓ１１）。文字情報が含まれている場合は、テーブルに登録されている文字列（キーワード）と一致するか（複数のキーワードが登録されている場合は、いずれか一つと一致するか）どうか判定し（Ｓ１２）、一致しない場合は、文字情報を画面に表示して、通常の呼出動作を行う（Ｓ１３）。
【００３６】
一致する場合は、テーブルにおいて、一致したキーワードに関連づけられている機能（アプリケーション）を起動し（Ｓ１４）、着信を切断する（Ｓ１５）。発信側携帯端末装置に送信される切断信号には、機能起動結果情報が含まれ、発信側携帯端末装置の表示画面に、機能起動結果が表示される。
【００３７】
図７は、キーワードと起動する機能をテーブルに登録する手順を説明する図である。図７では、テーブルには、既存のキーワードとして「亀になれ」が登録され、そのキーワードに対して起動するアプリケーションとして「ロック設定」機能が登録されている場合（図７（ｈ））に、新しいキーワードとして「音よ出ろ」を登録し、その新しいキーワードに対して起動するアプリケーションとして「マナー解除」機能を登録する例を示す。
【００３８】
まず、各種設定メニュー画面から「４遠隔操作設定」を選択する（図７（ａ））。暗証番号入力後（図７（ｂ））、キーワード一覧画面が表示される（図７（ｃ））。「未登録」を選択すると、設定画面が表示されるので（図７（ｄ））、キーワード内容として文字列「音よ出ろ」を入力する。そして、入力した文字列「音よ出ろ」を確定させる（図７（ｅ））と、テーブルに新しいキーワード「音よ出ろ」が登録される（図７（ｉ））。
【００３９】
続いて、新しいキーワードに対して起動するアプリケーション「６マナー解除」を起動アプリケーション選択画面から選択する（図７（ｆ））。こうして、設定画面に、キーワード内容として「音よ出ろ」、起動アプリケーションとして「マナー解除」が設定され、登録ボタンを操作することで、キーワード「音よ出ろ」に対して起動するアプリケーション「マナー解除」がテーブルに登録される（図７（ｊ））。
【００４０】
図８は、テーブルに登録する機能を任意に設定する場合の登録手順を説明する図である。図８では、図７に示した手順により、キーワード「どこいった」が登録され、それに対する機能として、ＧＰＳ機能を利用した位置検索からメール装置を行う機能を登録する例を示す。
【００４１】
図８（ａ）の設定画面から起動アプリケーションをせんたくすると、起動アプリケーション選択画面が表示される（図８（ｂ））。「９カスタム」を選択すると、起動アプリケーション作成初期画面が表示され（図８（ｃ））、待ち受け画面に遷移する（図８（ｄ））。携帯端末装置の制御部１０は、待ち受け画面からのユーザのキー操作を記憶する（図８（ｅ））。
【００４２】
ユーザによるキー操作は、図８（ｅ）に示すように、（待ち受け画面）→「メニュー」→「ＧＰＳ」→「現在地検索」→（測位終了後）→「サブメニュー」→「メール添付」→「宛先設定」→「送信」→「決定」である。最後に、「決定」操作を行うことで、キー操作が確定する。テーブルには、キーワード「どこいった」に関連づけられた「カスタム」機能として、上記キー操作が登録される（図８（ｆ））。
【００４３】
これにより、ユーザは、あらかじめ用意された機能に限られず、所望する任意の操作を登録することができる。なお、「カメラ起動」→「撮影」のように、遠隔操作による盗撮に利用される可能性のある操作については、登録不可となるようにする。
【００４４】
本発明における発呼信号に含まれる文字情報は、文字に限られず、数字、記号などを含むものとする。
【００４５】
また、発呼信号に含まれる文字情報を用いた本発明の遠隔操作手法で起動される機能（アプリケーション）は、ダイヤルロック機能などセキュリティ機能に限られず、携帯端末装置の有するあらゆる機能を起動することできる。
【図面の簡単な説明】
【００４６】
【図１】従来の技術における遠隔操作によりダイヤルロックを掛ける機能の図を示す。
【図２】連続着信が指定回数に達する前に第三者から着信があったために、ダイヤルロックが掛からない場合を示す図である。
【図３】通常利用される形態における発呼信号に含まれる文字情報を表示画面に表示する機能について説明する図である。
【図４】発呼信号に含まれる文字情報を表示画面に表示する機能を用いた本発明の実施の形態における携帯端末装置の機能について説明する図である。
【図５】本発明の実施の形態における携帯端末装置のブロック構成図を示す図である。
【図６】本発明の実施の形態における携帯端末装置の処理フローチャートである。
【図７】キーワードと起動する機能をテーブルに登録する手順を説明する図である。
【図８】テーブルに登録する機能を任意に設定する場合の登録手順を説明する図である。
【符号の説明】
【００４７】
１：携帯端末装置、１０：制御部、１１：キー、１２：スピーカ、１３：マイク、１４：ディスプレイ、１５：無線処理部、１６：アンテナ、１８：電源
【図１】
2007235514.tif 000003
【図２】
2007235514.tif 000004
【図３】
2007235514.tif 000005
【図４】
2007235514.tif 000006
【図５】
2007235514.tif 000007
【図６】
2007235514.tif 000008
【図７】
2007235514.tif 000009
【図８】
2007235514.tif 000010